(57)【要約】      （修正有）【課題】杖や傘を、寒冷時、特に冬季の寒く風のある日の外出時に使用するときに、冷気を防ぐ為の杖・傘用防寒カバーを提供する。【解決手段】５片のカバーセグメント７の縦辺を互いに縫合して筒状体として杖又は傘の柄のカバーとする。筒状体の内面は裏地３で被覆し、前記筒状体の両開口端はいずれも絞られており、一方は手通し口５とし、他方は杖又は傘のシャフト通し口８とし、そのシャフト通し口には閉じ部材２を設けるとともに布地と筒状体の外周の一部を貫通する切り込み４を形成したことを特徴として杖又は傘の柄のカバーを構成する。【選択図】図１
0003172008.tif 000002
【実用新案登録請求の範囲】
【請求項１】
５片のカバーセグメントの縦辺を互いに縫合して筒状体とした杖又は傘の柄のカバーであって、筒状体の内面は裏地で被覆し、前記筒状体の両開口端はいずれも絞られており、一方は手通し口とし、他方は杖又は傘のシャフト通し口とし、そのシャフト通し口には閉じ部材を設けるとともに裏地と筒状体の外周の一部を貫通する切り込みを形成したことを特徴とする杖又は傘の柄のカバー。
【考案の詳細な説明】
【技術分野】
【０００１】  本考案は杖や傘を、寒冷時、特に冬季の寒く風のある日の外出時に使用するもので、冷気を防ぐものである。
【背景技術】
【０００２】  従来防水処理された自転車・オートバイ等のハンドルカバーなるものがあったが、杖や傘への使用は寸法が大きくて使えず杖や傘への使用は無理であった。
【考案の概要】
【考案が解決しようとする課題】
【０００３】  本考案は、杖や傘への使用が可能で、サイズ・形状・布地等を小型化して、しかも縫製等を簡素化した物であり、軽量化を目指した事を特徴とした。
【課題を解決するための手段】
【０００４】  本考案は５片の略図形状のカバーセグメントの縦辺を互いに縫合して筒状体とした杖又は傘の柄のカバーであって、筒状体の内面は裏地で被覆し、前記筒状体の両開口端はいずれも絞られており、一方は手通し口とし、他方は杖又は傘のシャフト通し口とし、そのシャフト通し口には閉じ部材を設けるとともに布地と筒状体の外周の一部を貫通する切り込みを形成したことを特徴とする杖又は傘の柄のカバー。
小型・軽量化・縫製の簡素化・便利さ等を求めて作成した、使い勝手を最も重要課題として追求した内容を示す、冬季に使用する杖や傘は、寒風・雪・冷気に晒され非常に冷たい、これ等の冷気を防ぐ杖や傘の防水をかねた防寒カバーとした、握り手を保護するために袋を設け外気を遮断する、冬季を過ぎたらカ  バーは必要ないが、手元から下へ下げて暖気を防ぐことも可能である、冷たい思いを感じた時に直ぐ利用可能でき得る
１．杖の防寒カバーで、あらかじめ５片に裁断した布地を２枚重ねて右端を縫う
２．順次ＡからＥの断片を２枚、次も２枚と縫っていく
３．最後にＡ片とＥ片を突き合わせて同様に縫う
４．この段階で、筒状に近い極端に言えばショウゴ形、若しくは提灯形の形状を示す袋になる
５．次に裏地を外側に重ねて、上端を縫い、下端に紐通しを設ける
６．最後にひっくり返し出来上がる
こうして成る杖の防寒カバー
１．傘の防寒カバーで［請求項１］を逆に利用する杖の防寒カバー
２．降雨時はビニール等の防水カバーを掛ける杖の防寒カバー
【考案の効果】
【０００５】  冬の寒い日等、特に手の寒冷化を防ぎポカポカと暖かく、杖や傘の握り手が冷えないのが特徴で、老人方の外出も楽しさを増した、又、手袋ではグリップが効かず手が滑ったが本案で解決した。
【図面の簡単な説明】
【０００６】
【図１】は考案の杖への使用状態を示す概略図である。
【図２】図１のＡ−Ａ’線断面図を示す。
【図３】セグメントの１片を示す図である。
【図４】傘への使用例の概略図である。
【考案を実施するための形態】
【０００７】  以下、図面に基づいて説明する、まず初めに本考案の防寒カバーの製作工程を述べる。
１．５片の略同形状のカバーセグメント７として図３に示す形状のものを５つ分について裁断する。
２．セグメント７を２枚重ねた状態で片方の縦辺を縫い合わせる。縫い合わせは図３の点線で示す通り、図の下の方の一部は端まで縫わずにシャフト通し口８とする。
３．次のセグメント７を再び重ねて縫い合わせて行く。
４．最後に縫い終わると両端が開口された筒状の円筒体になっている。
５．この状態で表地を筒状にして縫い込む。
６．本布の下端に紐を通す折り返しを入れて紐を通す。
７．全体を裏返しにすると完了である。
８．裏地の折り返し。
９．セグメント７の折り返し。
【０００８】  布地は色形を入れる事も可、模様も可。
【実施例１】
【０００９】  以下、添付図面にて実施例を説明する。
図１は杖への使用例で、その概略図を示した、カバー１を杖の下部から差し込んで、先端まで押し上げ閉じ部杖である紐で絞る、紐に代えて一対の面ファスナーであっても良い。【００１０】  カバー１の外周である後部の部分に切り込み４で穴を設けて、杖の握り手６をつき出せる状態にして、寸法の大きい杖にも利用可能にする。
図２をもとに説明を入れる。
【実施例２】
【００１１】  布地の各セグメント７で、概、菱形をした各片を横に並べてある、各片を重ねて縫製して行くと、筒状に仕上がりになる。【００１２】  筒状のカバーの裏地３として薄手の布を一枚覆い、紐通しの折り返しを入れ紐を通す。【００１３】  最後に、この筒状をひっくり返すと出来上がりである。【００１４】  図４は傘１２への本考案使用例で、概略図である、特に杖への使用とは変化がなく、カバー１を上下逆さにした状態で使用する。
【符号の説明】
【００１５】  １．杖カバー
２．閉じ部杖
３．裏地
４．切り込み
５．手通し口
６．杖握り手
７．セグメント
８．シャフト通し口
９．セグメント縫合部
１０．セグメント中央巾広部
１１．杖シャフト
１２．傘
１３．傘シャフト
１４．傘柄
１５．裏地折り返し
１６．セグメント折り返し
【図１】
0003172008.tif 000003
【図２】
0003172008.tif 000004
【図３】
0003172008.tif 000005
【図４】
0003172008.tif 000006
【手続補正書】
【提出日】平成23年8月20日(2011.8.20)
【手続補正１】
【補正対象書類名】明細書
【補正対象項目名】全文
【補正方法】変更
【補正の内容】
【考案の詳細な説明】
【技術分野】
【０００１】  本考案は杖や傘を、寒冷時、特に冬季の寒く風のある日の外出時に使用するもので、冷気を防ぐものである。
【背景技術】
【０００２】  従来防水処理された自転車・オートバイ等のハンドルカバーなるものがあったが、杖や傘への使用は寸法が大きくて使えず杖や傘への使用は無理であった。
【考案の概要】
【考案が解決しようとする課題】
【０００３】  本考案は、杖や傘への使用が可能で、サイズ・形状・布地等を小型化して、しかも縫製等を簡素化した物であり、軽量化を目指した事を特徴とした。
【課題を解決するための手段】
【０００４】  本考案は５片の略図形状のカバーセグメントの縦辺を互いに縫合して筒状体とした杖又は傘の柄のカバーであって、筒状体の内面は裏地で被覆し、前記筒状体の両開口端はいずれも絞られており、一方は手通し口とし、他方は杖又は傘のシャフト通し口とし、そのシャフト通し口には閉じ部材を設けるとともに布地と筒状体の外周の一部を貫通する切り込みを形成したことを特徴とする杖又は傘の柄のカバー。
小型・軽量化・縫製の簡素化・便利さ等を求めて作成した、使い勝手を最も重要課題として追求した内容を示す、冬季に使用する杖や傘は、寒風・雪・冷気に晒され非常に冷たい、これ等の冷気を防ぐ杖や傘の防水をかねた防寒カバーとした、握り手を保護するために袋を設け外気を遮断する、冬季を過ぎたらカ  バーは必要ないが、手元から下へ下げて暖気を防ぐことも可能である、冷たい思いを感じた時に直ぐ利用可能でき得る
１．杖の防寒カバーで、あらかじめ５片に裁断した布地を２枚重ねて右端を縫う
２．５枚のセグメントを順次重ねて行き、右端を縫い合わせて筒状に成す
３．提灯形の筒で上端が広く、下端が狭い状態で次に進む
４．この段階で筒状に近い極端に言えばショウゴ形、若しくは提灯形の形状を示す袋になる
５．次に裏地を外側に重ねて、上端を縫い、下端に紐通しを設ける
６．最後にひっくり返し出来上がる
こうして成る杖の防寒カバー
１．傘の防寒カバーで［請求項１］を逆に利用する杖の防寒カバー
２．降雨時はビニール等の防水カバーを掛ける杖の防寒カバー
【考案の効果】
【０００５】  冬の寒い日等、特に手の寒冷化を防ぎポカポカと暖かく、杖や傘の握り手が冷えないのが特徴で、老人方の外出も楽しさを増した、又、手袋ではグリップが効かず手が滑ったが本案で解決した。
【図面の簡単な説明】
【０００６】
【図１】は考案の杖への使用状態を示す概略図である。
【図２】図１のＡ−Ａ’線断面図を示す。
【図３】セグメントの１片を示す図である。
【図４】傘への使用例の概略図である。
【考案を実施するための形態】
【０００７】  以下、図面に基づいて説明する、まず初めに本考案の防寒カバーの製作工程を述べる。
１．５片の略同形状のカバーセグメント７として図３に示す形状のものを５つ分について裁断する。
２．セグメント７を２枚重ねた状態で片方の縦辺を縫い合わせる。縫い合わせは図３の点線で示す通り、図の下の方の一部は端まで縫わずにシャフト通し口８とする。
３．次のセグメント７を再び重ねて縫い合わせて行く。
４．最後に縫い終わると両端が開口された筒状の円筒体になっている。
５．この状態で表地を筒状にして縫い込む。
６．本布の下端に紐を通す折り返しを入れて紐を通す。
７．全体を裏返しにすると完了である。
８．裏地の折り返し。
９．セグメント７の折り返し。
【０００８】  布地は色形を入れる事も可、模様も可。
【実施例１】
【０００９】  以下、添付図面にて実施例を説明する。
図１は杖への使用例で、その概略図を示した、カバー１を杖の下部から差し込んで、先端まで押し上げ閉じ部杖である紐で絞る、紐に代えて一対の面ファスナーであっても良い。【００１０】  カバー１の外周である後部の部分に切り込み４で穴を設けて、杖の握り手６をつき出せる状態にして、寸法の大きい杖にも利用可能にする。
図２をもとに説明を入れる。
【実施例２】
【００１１】  布地の各セグメント７で、概、菱形をした各片を横に並べてある、各片を重ねて縫製して行くと、筒状に仕上がりになる。【００１２】  筒状のカバーの裏地３として薄手の布を一枚覆い、紐通しの折り返しを入れ紐を通す。【００１３】  最後に、この筒状をひっくり返すと出来上がりである。【００１４】  図４は傘１２への本考案使用例で、概略図である、特に杖への使用とは変化がなく、カバー１を上下逆さにした状態で使用する。
【符号の説明】
【００１５】１．杖カバー
２．閉じ部材の紐若しくはゴム
３．裏地
４．切り込み
５．手通し口
６．杖握り手
７．セグメント
８．シャフト通し口
９．セグメント縫合部
１０．セグメント中央巾広部
１１．杖シャフト
１２．傘
１３．傘シャフト
１４．傘柄
１５．裏地折り返し
１６．セグメント折り返し
【手続補正２】
【補正対象書類名】図面
【補正対象項目名】図１
【補正方法】変更
【補正の内容】
【図１】
0003172008.tif 000007
【手続補正３】
【補正対象書類名】図面
【補正対象項目名】図２
【補正方法】変更
【補正の内容】
【図２】
0003172008.tif 000008